(57)【要約】【課題】配線作業を簡略化でき照明側の小型化や薄型化に貢献できる照明システムを提供すること。【解決手段】ネットワークユニット２０とマスタユニット３０を接続するケーブルユニット１２０と、マスタユニット３０とＤＣ照明器具４０、センサユニット５０、スイッチユニット６０とを接続するケーブルユニット１３０（各分岐ケーブル１５０を含む）を、２芯の直流電力の給電ケーブル１３１と２芯の伝送ケーブル１３２とで構成する。ＤＣ照明器具４０の照明４１やセンサユニット５０のセンサ５１には、ＡＣ／ＤＣコンバータ１０で変換した低電圧の直流電力を、ケーブルユニット１２０，１３０の給電ケーブル１３１を介して供給する。また、マスタユニット３０と、ＤＣ照明器具４０のコントロールユニット４２や、センサユニット５０及びスイッチユニット６０のコントローラ５２，６２との通信を、伝送ケーブル１３２で行う。【選択図】図１
2014235795.tif 000002
【特許請求の範囲】
【請求項１】
商用電源の交流電力から変換した直流電力により点灯する照明を点灯制御する照明システムにおいて、
前記照明と、該照明を制御信号に基づいて点灯制御するコントローラと、該コントローラに対する前記制御信号の授受を行う通信デバイスとを内蔵した１又は複数の照明装置と、
前記照明装置にケーブルユニットを介して接続され、前記通信デバイスとの間で、該通信デバイスをスレーブノードとし自らをマスタノードとするマスタスレーブ方式の通信を行って、前記制御信号を前記通信デバイスに出力し前記照明を点灯制御する制御装置と、
前記商用電源の交流電力を前記照明の点灯用直流電力に変換して前記制御装置に供給する点灯用電源とを備えており、
前記ケーブルユニットは、前記点灯用直流電力の給電ケーブルと前記制御信号の伝送ケーブルとを内蔵している、
ことを特徴とする照明システム。
【請求項２】
前記制御装置に前記ケーブルユニットを介して接続される１又は複数の負荷装置をさらに備えており、該負荷装置は、前記点灯用直流電力の供給により作動して前記制御装置が前記照明の点灯制御内容を決定するために参酌する状態信号を発生する負荷と、前記状態信号を前記制御信号とする通信を前記制御装置との間でスレーブノードとして行う前記通信デバイスとを内蔵しており、前記制御装置は、前記負荷装置から前記制御信号として受信した前記状態信号を参酌して前記照明の点灯制御内容を決定し、決定した前記照明の点灯制御内容に応じた前記制御信号を前記負荷装置に出力することを特徴とする請求項１記載の照明システム。
【請求項３】
前記制御装置から前記制御信号を受信して前記照明の状態を前記照明システムの上位システムに伝送するネットワーク装置をさらに備えており、該ネットワーク装置は、前記点灯用直流電力の給電ケーブルと前記制御信号の伝送ケーブルとを内蔵した前記ケーブルユニットを介して前記制御装置と接続されており、前記点灯用電源からの前記点灯用直流電流は、前記ネットワーク装置及び前記ケーブルユニットを介して前記制御装置に供給されることを特徴とする請求項１又は２記載の照明システム。
【請求項４】
前記ケーブルユニットは前記各装置にコネクタを介して接続されることを特徴とする請求項１、２又は３記載の照明システム。
【発明の詳細な説明】
【技術分野】
【０００１】
本発明は、照明を点灯制御する照明システムに関する。
【背景技術】
【０００２】
従来から、複数の照明を点灯制御する照明システムが提供されている。この照明システムでは、商用電源からの高電圧（例えば、１００Ｖ又は２００Ｖ）の交流電力を給電系のケーブル（強電ケーブル）で各照明に給電し、点灯制御用の制御信号を制御系のケーブル（弱電ケーブル）で各照明に伝送している（例えば、特許文献１，２）。
【先行技術文献】
【特許文献】
【０００３】
【特許文献１】特開２０１１−２４９１３４号公報
【特許文献２】特開２００５−３４８２４３号公報
【発明の概要】
【発明が解決しようとする課題】
【０００４】
上述した従来の照明システムでは、制御信号にノイズが重畳するのを防止するノイズ対策のために、強電ケーブルを弱電ケーブルから離して配置する必要がある。また、強電ケーブルと弱電ケーブルとを離隔して敷設しなければならないという法規上の規定も存在する。このため、ケーブルの配線ルートに制約ができてその決定が困難になり、また、ケーブルの敷設作業に手間がかかる。しかも、高電圧の交流電力が流れる強電ケーブルの配線作業は法令で定められた有資格者が行う必要がある。このため、有資格者の手当てが付かない場合は、それに伴い内装作業等の進捗が遅れる場合がある。
【０００５】
また、上述した従来の照明システムでは、強電ケーブルで給電された交流電力を直流変換するＡＣ／ＤＣコンバータを各照明にそれぞれ設ける必要があるので、照明の小型化や薄型化が困難になる。しかも、強電ケーブルと弱電ケーブルとで各照明を連鎖的に接続する場合は、各照明に、強電ケーブルと弱電ケーブルの入出力系統を個別に設ける必要があるので、照明側の小型化や薄型化がさらに困難になり、また、強電ケーブルと弱電ケーブルの誤配線の要因となる可能性がある。
【０００６】
本発明は前記事情に鑑みなされたもので、本発明の目的は、配線作業を簡略化でき照明側の小型化や薄型化に貢献できる照明システムを提供することにある。
【課題を解決するための手段】
【０００７】
上記目的を達成するため、請求項１に記載した本発明の照明システムは、
商用電源の交流電力から変換した直流電力により点灯する照明を点灯制御する照明システムにおいて、
前記照明と、該照明を制御信号に基づいて点灯制御するコントローラと、該コントローラに対する前記制御信号の授受を行う通信デバイスとを内蔵した１又は複数の照明装置と、
前記照明装置にケーブルユニットを介して接続され、前記通信デバイスとの間で、該通信デバイスをスレーブノードとし自らをマスタノードとするマスタスレーブ方式の通信を行って、前記制御信号を前記通信デバイスに出力し前記照明を点灯制御する制御装置と、
前記通信装置にケーブルユニットを介して接続され、前記制御信号を前記通信装置に出力して前記照明を点灯制御する制御装置と、
前記商用電源の交流電力を前記照明の点灯用直流電力に変換して前記制御装置に供給する点灯用電源とを備えており、
前記ケーブルユニットは、前記点灯用直流電力の給電ケーブルと前記制御信号の伝送ケーブルとを内蔵している、
ことを特徴とする。
【０００８】
請求項１に記載した本発明の照明システムによれば、照明の点灯に使用される点灯用直流電力への商用電源（交流電力）からの変換が、照明装置においては行われず、照明装置への給電前に行われる。したがって、照明装置に供給する点灯用の電力は、点灯制御に用いる制御信号と同じ直流電力となり、しかも、商用電源よりも低電圧の電力となる。
【０００９】
このため、ノイズ対策で点灯用直流電力の給電ケーブルと制御信号の伝送ケーブルとを離して配線する必要がなくなり、一つのケーブルユニットにまとめられるので、配線ルートの制約を減らしてその決定を容易にすることができる。しかも、両ケーブルが一つのケーブルユニットにまとまるので、各ケーブルを個別に各装置に接続する場合よりも誤配線の可能性を減らすことができる。
【００１０】
また、照明装置にＡＣ／ＤＣコンバータを設けて商用電源の交流電力から点灯用直流電力への変換を行う必要がないので、ＡＣ／ＤＣコンバータの存在により照明装置の小型化や薄型化が阻害されるのを避けることができる。
【００１１】
したがって、照明システム全体での配線作業を簡略化することができ、また、照明側の小型化や薄型化に貢献することができる。
【００１２】
なお、点灯用直流電力の給電ケーブルが商用電源よりも低電圧の電力を伝送するケーブルとなることで、有資格者による施工が不要になれば、有資格者の手当ての可否によって他の作業の進捗に影響が及ぶリスクも避けることができる。
【００１３】
また、請求項２に記載した本発明の照明システムは、請求項１に記載した本発明の照明システムにおいて、前記制御装置に前記ケーブルユニットを介して接続される１又は複数の負荷装置をさらに備えており、該負荷装置は、前記点灯用直流電力の供給により作動して前記制御装置が前記照明の点灯制御内容を決定するために参酌する状態信号を発生する負荷と、前記状態信号を前記制御信号とする通信を前記制御装置との間でスレーブノードとして行う前記通信デバイスとを内蔵しており、前記制御装置は、前記負荷装置から前記制御信号として受信した前記状態信号を参酌して前記照明の点灯制御内容を決定し、決定した前記照明の点灯制御内容に応じた前記制御信号を前記負荷装置に出力することを特徴とする。
【００１４】
請求項２に記載した本発明の照明システムによれば、請求項１に記載した本発明の照明システムにおいて、例えば、照明のスイッチや照明が配置された場所の明るさを検出するセンサ等の負荷が、照明の配置場所に照明と共に配置されて、負荷が出力する状態信号が、制御装置による負荷の点灯制御内容の決定に際して参酌される場合がある。
【００１５】
この場合に、負荷が出力する状態信号も、ケーブルユニットの制御信号の伝送ケーブルを介して、負荷装置の通信デバイスと制御装置とのマスタスレーブ方式の通信により、制御装置に制御信号として伝送される。
【００１６】
したがって、負荷の状態信号を伝送する制御信号の伝送ケーブルも、点灯用直流電力の給電ケーブルと共に、一つのケーブルユニットにまとめて、配線ルートの制約を減らしてその決定を容易にし、また、誤配線の可能性を減らして、配線作業の簡略化を図ることができる。
【００１７】
さらに、請求項３に記載した本発明の照明システムは、請求項１又は２に記載した本発明の照明システムにおいて、前記制御装置から前記制御信号を受信して前記照明の状態を前記照明システムの上位システムに伝送するネットワーク装置をさらに備えており、該ネットワーク装置は、前記点灯用直流電力の給電ケーブルと前記制御信号の伝送ケーブルとを内蔵した前記ケーブルユニットを介して前記制御装置と接続されており、前記点灯用電源からの前記点灯用直流電流は、前記ネットワーク装置及び前記ケーブルユニットを介して前記制御装置に供給されることを特徴とする。
【００１８】
請求項３に記載した本発明の照明システムによれば、請求項１又は２に記載した本発明の照明システムにおいて、制御装置が制御する照明の状態の情報を制御信号によりネットワーク装置に伝送し、ネットワーク装置に接続された照明システムの上位システムに共有させる場合がある。
【００１９】
この場合に、ネットワーク装置を介して点灯用電源から制御装置に供給される点灯用直流電力の給電ケーブルと、ネットワーク装置と制御装置との間で制御信号を伝送するための伝送ケーブルとを、一つのケーブルユニットにまとめて、配線ルートの制約を減らしてその決定を容易にし、また、誤配線の可能性を減らして、配線作業の簡略化を図ることができる。
【００２０】
また、請求項４に記載した本発明の照明システムは、請求項請求項１、２又は３に記載した本発明の照明システムにおいて、前記ケーブルユニットは前記各装置にコネクタを介して接続されることを特徴とする。
【００２１】
請求項４に記載した本発明の照明システムによれば、請求項請求項１、２又は３に記載した本発明の照明システムにおいて、照明装置や（請求項１の場合）、照明装置と負荷装置（請求項２の場合）に対して供給される点灯用電源が、商用電源からの交流電力ではなく直流電力となる。このため、各装置に対して点灯用直流電力の給電ケーブルを接続する際には、プラスマイナスの極性を間違わないようにする必要がある。
【００２２】
これに対して、ケーブルユニットと各装置とがコネクタを介して接続されるので、コネクタの誤接続防止構造を活用して、極性を誤って点灯用直流電力の給電ケーブルが各装置に接続されるのを確実に防止することができる。
【発明の効果】
【００２３】
本発明によれば、照明システム全体での配線作業を簡略化することができ、また、照明側の小型化や薄型化に貢献することができる。
【図面の簡単な説明】
【００２４】
【図１】本発明の第１実施形態に係る照明システムの説明図である。
【図２】図１のマスタユニットとＤＣ照明器具、センサユニット、及び、スイッチユニットとの間で行われる通信で用いるフレーム構成を示す説明図である。
【図３】本発明の第２実施形態に係る照明システムの説明図である。
【図４】本発明の第３実施形態に係る照明システムの説明図である。
【図５】（ａ）〜（ｃ）は図４のケーブルユニットを構成するケーブルの説明図である。
【発明を実施するための形態】
【００２５】
以下、本発明の実施形態について図面を参照して説明する。まず、図１の説明図を参照して、本発明の第１実施形態に係る照明システムについて説明する。
【００２６】
図１に示すように、第１実施形態の照明システム１は、不図示の商用電源からの交流電力から変換した直流電力により点灯する照明を点灯制御するもので、ＡＣ／ＤＣコンバータ１０、ネットワークユニット２０、マスタユニット３０、ＤＣ照明器具４０、センサユニット５０、スイッチユニット６０、電源ケーブル１００，１１０、及び、ケーブルユニット１２０，１３０を有している。
【００２７】
ＡＣ／ＤＣコンバータ１０（請求項中の点灯用電源に相当）は、不図示の商用電源からの交流電力をＤＣ照明器具４０の照明４１の点灯に適した点灯用直流電力に変換してネットワークユニット２０に供給するものである。本実施形態では、ＡＣ／ＤＣコンバータ１０は、商用電源からのＡＣ１００Ｖ又は２００Ｖの交流電力を、ＤＣ４８Ｖの点灯用直流電力に変換する。
【００２８】
ネットワークユニット２０（請求項中のネットワーク装置に相当）は、ＤＣ照明器具４０の照明４１の点灯制御を行うマスタユニット３０を統括し、マスタユニット３０が制御する照明４１の点灯状態等に関して、マスタユニット３０と上位システム（例えば、本実施形態の照明システムが運用されるビルの全体システム等）との間のデータ授受をマネージメントする。このマネージメントを行うためのマイクロコンピュータ（図示せず）を、ネットワークユニット２０は内蔵している。また、ネットワークユニット２０は、ＡＣ／ＤＣコンバータ１０からの点灯用直流電力を、内蔵のマイクロコンピュータの動作に適した例えば５Ｖの直流電力に変換する変圧ユニット（図示せず）を内蔵している。さらに、ネットワークユニット２０は、ＡＣ／ＤＣコンバータ１０からのＤＣ４８Ｖの点灯用直流電力をマスタユニット３０に供給する。
【００２９】
マスタユニット３０（請求項中の制御装置に相当）は、ＤＣ照明器具４０の照明４１の点灯制御を統括しその制御内容を決定して実行するもので、そのためのマイクロコンピュータ（図示せず）を内蔵している。マスタユニット３０は、照明４１の点灯制御内容を決定するために、自らをマスタノードとし、ＤＣ照明器具４０やセンサユニット５０、スイッチユニット６０をそれぞれスレーブノードとする、マスタスレーブ方式の通信を行う。また、マスタユニット３０は、ネットワークユニット２０からの点灯用直流電力を、内蔵のマイクロコンピュータの動作に適した例えば５Ｖの直流電力に変換する変圧ユニット（図示せず）を内蔵している。さらに、マスタユニット３０は、ネットワークユニット２０からのＤＣ４８Ｖの点灯用直流電力を、ＤＣ照明器具４０やセンサユニット５０、スイッチユニット６０に供給する。
【００３０】
そして、マスタユニット３０のマイクロコンピュータは、照明４１の点灯制御内容を示す制御信号を、その照明４１を有するＤＣ照明器具４０に送信する。また、マイクロコンピュータは、センサユニット５０やスイッチユニット６０に、それらの状態を示す状態信号の出力をリクエストし、それに対応してセンサユニット５０やスイッチユニット６０が送信した状態信号を制御信号として受信して、ネットワークユニット２０に出力する。
【００３１】
ＤＣ照明器具４０（請求項中の照明装置に相当）は、照明４１とコントロールユニット４２とを含んでユニット化したものである。照明４１は、マスタユニット３０からのＤＣ４８Ｖの点灯用直流電力によって点灯される。コントロールユニット４２は、マイクロコンピュータ（図示せず）を有しており、また、マスタユニット３０からの点灯用直流電力を、マイクロコンピュータの動作に適した例えば５Ｖの直流電力に変換する変圧ユニット（図示せず）を有している。
【００３２】
そして、コントロールユニット４２のマイクロコンピュータは、マスタユニット３０との間でスレーブノードとして通信を行い制御信号を受信する通信デバイスと、受信した制御信号にしたがって照明４１の点灯制御を行うコントローラとして機能する。
【００３３】
センサユニット５０は、センサ５１（請求項中の負荷に相当）とコントローラ５２とを含んでユニット化したものである。センサ５１は、例えば、照明４１（ＤＣ照明器具４０）が配置された場所の明るさを検出する明るさセンサであり、マスタユニット３０からのＤＣ４８Ｖの点灯用直流電力によって駆動される。そして、センサ５１は、検出した明るさに対応する状態信号を出力する。コントローラ５２は、基本的にＤＣ照明器具４０のコントロールユニット４２と同じものを用いている。したがって、コントロールユニット４２と同様にコントローラ５２は、マイクロコンピュータ（図示せず）を有しており、また、マスタユニット３０からの点灯用直流電力を、マイクロコンピュータの動作に適した例えば５Ｖの直流電力に変換する変圧ユニット（図示せず）を有している。
【００３４】
そして、コントローラ５２のマイクロコンピュータは、マスタユニット３０との間でスレーブノードとして通信を行い、明るさセンサが出力した状態信号を、マスタユニット３０からのリクエストに応じて制御信号として出力する通信デバイスとして機能する。
【００３５】
スイッチユニット６０は、複数のスイッチ６１（請求項中の負荷に相当）とコントローラ６２とを含んでユニット化したものである。各スイッチ６１は、各ＤＣ照明器具４０の照明４１をそれぞれオンオフさせるものであり、各スイッチ６１のオンオフ状態に対応する状態信号を出力する。コントローラ６２も、センサユニット５０のコントローラ５２と同じく、基本的にＤＣ照明器具４０のコントロールユニット４２と同じものを用いている。したがって、コントロールユニット４２と同様にコントローラ５２は、マイクロコンピュータ（図示せず）を有しており、また、マスタユニット３０からの点灯用直流電力を、マイクロコンピュータの動作に適した例えば５Ｖの直流電力に変換する変圧ユニット（図示せず）を有している。
【００３６】
そして、コントローラ６２のマイクロコンピュータは、マスタユニット３０との間でスレーブノードとして通信を行い、各スイッチ６１が出力した状態信号を、マスタユニット３０からのリクエストに応じて制御信号として出力する通信デバイスとして機能する。
【００３７】
マスタユニット３０は、センサユニット５０やスイッチユニット６０との通信によって制御信号として受信した状態信号から、センサ５１やスイッチ６１の状態を認識し、それに応じた各照明４１の点灯制御内容を決定する。ネットワークユニット２０は、各マスタユニット３０が状態信号から把握した各照明４１やセンサ５１、スイッチ６１の状態をマスタユニット３０から制御信号で受け取り、最新の状態を内部で更新保持する。また、上位システムと連携して、自らが保持している照明４１やセンサ５１、スイッチ６１の最新の状態を、上位システムとの間で必要に応じて共有する。
【００３８】
電源ケーブル１００は、不図示の商用電源からＡＣ／ＤＣコンバータ１０に交流電力を供給するケーブルである。電源ケーブル１１０は、ＡＣ／ＤＣコンバータ１０からネットワークユニット２０に点灯用直流電力を供給するケーブルである。電源ケーブル１００，１１０はどちらも、２芯のケーブルで構成されている。
【００３９】
ケーブルユニット１２０は、ネットワークユニット２０とマスタユニット３０とを接続するものである。ケーブルユニット１３０は、複数の分岐部１４０を有しており、各分岐部１４０には分岐ケーブル１５０がそれぞれ分岐接続されている。ケーブルユニット１３０及び各分岐ケーブル１５０は、マスタユニット３０とＤＣ照明器具４０、センサユニット５０、スイッチユニット６０とを接続するものである。
【００４０】
ケーブルユニット１３０（各分岐ケーブル１５０を含む）は４芯のケーブルで構成されており、そのうち２芯は点灯用直流電力の給電ケーブル１３１、残る２芯は制御信号の伝送ケーブル１３２として使用される。ケーブルユニット１２０もケーブルユニット１３０と同様に構成されている。
【００４１】
各ケーブルユニット１２０，１３０（各分岐ケーブル１５０を含む）の端部はそれぞれコネクタ１６０（請求項中のコネクタに相当）を有しており（一部図示せず）、このコネクタ１６０を介して各ケーブルユニット１２０，１３０（各分岐ケーブル１５０を含む）が、ネットワークユニット２０、マスタユニット３０、ＤＣ照明器具４０、センサユニット５０、及び、スイッチユニット６０にそれぞれ接続される。
【００４２】
ケーブルユニット１３０（各分岐ケーブル１５０を含む）によって接続されたマスタユニット３０と、ＤＣ照明器具４０のコントロールユニット４２、センサユニット５０及びスイッチユニット６０の各コントローラ５２，６２との間の通信は、図２に示すフレームを使用した半２重通信によって行われる。
【００４３】
マスタノードであるマスタユニット３０が使用するフレームは、スタートビットａ、送信群指定（リクエスト）ビットｂ、スレーブノードのアドレス指定ビットｃ、スレーブノードのセレクトビットｄ、データ（コマンド）ビットｅ、ストップビットｆの６ビットで構成される。スレーブノードであるＤＣ照明器具４０、センサユニット５０、及び、スイッチユニット６０が使用するフレームは、スタートビットａ、データ（マスタへのレスポンス）ビットｂ、ストップビットｃの３ビットで構成される。
【００４４】
このように構成された本実施形態の照明システム１では、センサ５１が検出した明るさに応じた状態信号（制御信号）が、コントローラ５２からケーブルユニット１３０（分岐ケーブル１５０を含む）の伝送ケーブル１３２を介してマスタユニット３０に送信される。
【００４５】
また、本実施形態の照明システム１では、マスタユニット３０が、センサ５１やスイッチ６１の状態信号の送信リクエストを、ケーブルユニット１３０（分岐ケーブル１５０を含む）の伝送ケーブル１３２を介して、センサユニット５０やスイッチユニット６０のコントローラ５２，６２に周期的に送信する。
【００４６】
そして、このリクエストに呼応してセンサユニット５０やスイッチユニット６０のコントローラ５２，６２が送信した、センサ５１やスイッチ６１の状態信号を、ケーブルユニット１３０（分岐ケーブル１５０を含む）の伝送ケーブル１３２を介して、マスタユニット３０が受信する。
【００４７】
状態信号を受信したマスタユニット３０は、マスタユニット３０は、受信した状態信号に基づいて、各照明４１の点灯制御内容を決定する。
【００４８】
そして、マスタユニット３０は、点灯制御する照明４１を有するＤＣ照明器具４０のコントロールユニット４２に、ケーブルユニット１３０（分岐ケーブル１５０を含む）の伝送ケーブル１３２を介して、決定した各照明４１の点灯制御内容を示す制御信号を送信する。制御信号を受信したコントロールユニット４２は、制御信号の点灯制御内容で照明４１を点灯制御する。
【００４９】
また、マスタユニット３０は、センサユニット５０やスイッチユニット６０のコントローラ５２，６２から受信したセンサ５１やスイッチ６１の状態信号から、各照明４１やセンサ５１、スイッチ６１の状態を判別し、判別したそれぞれの状態を示す状態信号を、ケーブルユニット１２０の伝送ケーブルを介してネットワークユニット２０に制御信号として送信する。
【００５０】
マスタユニット３０から制御信号としての状態信号を受信したネットワークユニット２０は、状態信号が示す各照明４１やセンサ５１、スイッチ６１の状態を、内部のメモリ（図示せず）に上書き保存して最新情報として管理する。また、必要に応じて、不図示のネットワークケーブルを介して上位システムに、各照明４１やセンサ５１、スイッチ６１の状態を示す信号を送信する。
【００５１】
そして、本実施形態の照明システム１では、照明４１を点灯させたり、マスタユニット３０やコントロールユニット４２、コントローラ５２，６２、センサ５１を動作させるための電力の給電ケーブルを、商用電源の交流電力よりも低電圧の直流電力の給電ケーブル１３１とした。このため、商用電源の交流電力の給電ケーブルの場合のように、ノイズ対策のために、あるいは、法規上の規定の適用を受けて、伝送ケーブル１３２を離して配線する必要がなくなり、直流電力の給電ケーブル１３１と伝送ケーブル１３２とを、一つのケーブルユニット１３０にまとめることができる。ケーブルユニット１２０についても同様に構成できる。
【００５２】
よって、ケーブルユニット１２０，１３０の配線ルートの制約を減らしてその決定を容易にすることができる。しかも、直流電力の給電ケーブル１３１と伝送ケーブル１３２とを一つのケーブルユニット１２０，１３０にまとまるので、直流電力の給電ケーブル１３１と伝送ケーブル１３２とを個別にネットワークユニット２０、マスタユニット３０、ＤＣ照明器具４０、センサユニット５０、及び、スイッチユニット６０にそれぞれ接続する場合よりも、誤配線の可能性を減らすことができる。
【００５３】
また、ＤＣ照明器具４０やセンサユニット５０にＡＣ／ＤＣコンバータを設けて商用電源の交流電力から直流電力への変換を行う必要がないので、ＡＣ／ＤＣコンバータの存在によりＤＣ照明器具４０やセンサユニット５０の小型化や薄型化が阻害されるのを避けることができる。
【００５４】
したがって、照明システム１全体での配線作業を簡略化することができ、また、ＤＣ照明器具４０やセンサユニット５０の小型化や薄型化に貢献することができる。
【００５５】
しかも、直流電力（本実施形態では４８Ｖ）の給電ケーブル１３１を含むケーブルユニット１２０，１３０が、有資格者による施工を義務づけた法令の定めに該当しなければ、有資格者の手当ての可否によって、配線作業と前後して又は並行して行われる内装作業等の他の作業の進捗に影響が及ぶリスクも避けることができる。
【００５６】
なお、図３の説明図に示す本発明の第２実施形態に係る照明システム１Ａのように、マスタユニット３０と各ＤＣ照明器具４０、センサユニット５０、スイッチユニット６０とをそれぞれ個別のケーブルユニット１３０Ａで接続するようにしてもよい。この場合、各ケーブルユニット１３０Ａは、ケーブルユニット１２０，１３０と同様に、２芯の直流電力の給電ケーブル１３１と２芯の伝送ケーブル１３２との４芯ケーブルで構成される。
【００５７】
また、図４の説明図に示す本発明の第３実施形態に係る照明システム１Ｂのように、複数パターンのケーブルユニット１３０Ｂ〜１３０Ｄを組み合わせて、マスタユニット３０と各ＤＣ照明器具４０、センサユニット５０、スイッチユニット６０とを接続してもよい。
【００５８】
第３実施形態に係る照明システム１Ｂでは、図５（ａ）に示す分岐用のケーブルユニット１３０Ｂと、図５（ｂ）に示す延長用のケーブルユニット１３０Ｃと、図５（ｃ）に示す分配用のケーブルユニット１３０Ｄとを組み合わせて用いている。
【００５９】
図５（ａ）の分岐用のケーブルユニット１３０Ｂは、第１実施形態のケーブルユニット１３０と同様に、分岐部１４０から分岐ケーブル１５０を分岐接続して構成されている。また、図５（ｃ）の分配用のケーブルユニット１３０Ｄは、分岐部１４０でケーブルを複数の分配ケーブル１５１に分配させている。なお、各ケーブルユニット１３０Ｂ〜１３０Ｄは、１つの端部に、他のケーブルユニット１３０Ｂ〜１３０Ｄのコネクタ１６０に接続可能なコネクタ１６１を有している。
【００６０】
各ケーブルユニット１３０Ｂ〜１３０Ｄ（ケーブルユニット１３０Ｂの分岐ケーブル１５０、ケーブルユニット１３０Ｄの分配ケーブル１５１を含む）は、ケーブルユニット１２０，１３０と同様に、２芯の直流電力の給電ケーブル１３１と２芯の伝送ケーブル１３２との４芯ケーブルで構成される。各ケーブルユニット１３０Ｂ〜１３０Ｄは、ＤＣ照明器具４０、センサユニット５０、スイッチユニット６０の配置や数に合わせて選んで使い分けることができる。
【００６１】
上述した第２及び第３実施形態の照明システム１Ａ，１Ｂによっても、第１実施形態の照明システム１と同様の効果を得ることができる。
【００６２】
なお、各ケーブルユニット１２０，１３０，１３０Ａ〜１３０Ｄと、ネットワークユニット２０、マスタユニット３０、各ＤＣ照明器具４０、センサユニット５０、スイッチユニット６０との接続に、コネクタ１６０を用いなくてもよい。例えば、差込型接続を用いたり、各芯線を基板に半田付けする等して接続する構成であってもよい。
【００６３】
しかし、コネクタ１６０を用いて接続する構成とすれば、コネクタ１６０と、ネットワークユニット２０、マスタユニット３０、各ＤＣ照明器具４０、センサユニット５０、スイッチユニット６０のコネクタ受け（図示せず）とに、凹凸等の誤接続防止構造を設けることで、逆極性での誤接続を容易に防止でき有利である。
【００６４】
また、上述した各実施形態では、各ケーブルユニット１２０，１３０，１３０Ａ〜１３０Ｄに、給電ケーブル１３１と伝送ケーブル１３２とを個別に設けた。しかし、給電ケーブル１３１で伝送するのが商用電源の高電圧の交流電力でなく低電圧の直流電力であるため、これに制御信号を重畳する電源重畳を行ってもよい。
【００６５】
さらに、本発明の照明システムは、屋外及び屋内のいずれにおける照明システムにも適用可能である。
【産業上の利用可能性】
【００６６】
本発明は、商用電源の交流電力から変換した直流電力により点灯する照明を点灯制御する照明システムに用いて、極めて有用である。
【符号の説明】
【００６７】
１，１Ａ，１Ｂ  照明システム
１０  ＡＣ／ＤＣコンバータ（点灯用電源）
２０  ネットワークユニット（ネットワーク装置）
３０  マスタユニット（制御装置）
４０  ＤＣ照明器具（照明装置）
４１  照明
４２  コントロールユニット
５０  センサユニット（負荷装置）
５１  センサ（負荷）
５２，６２  コントローラ
６０  スイッチユニット（負荷装置）
６１  スイッチ（負荷）
１００，１１０  電源ケーブル
１２０，１３０，１３０Ａ〜１３０Ｄ  ケーブルユニット
１３１  給電ケーブル
１３２  伝送ケーブル
１４０  分岐部
１５０  分岐ケーブル（ケーブルユニット）
１５１  分配ケーブル（ケーブルユニット）
１６０，１６１  コネクタ
【図１】
2014235795.tif 000003
【図２】
2014235795.tif 000004
【図３】
2014235795.tif 000005
【図４】
2014235795.tif 000006
【図５】
2014235795.tif 000007